(57)【要約】      （修正有）【課題】片手で柄の脱着ができる柄支持具を提供する。【解決手段】柄支持具Ｓは、立設した面３へ取り付けられる本体１と、本体にシーソー状に取り付けられた回動体とを備え、回動体は、棒状部分の柄１０で押すと回動体を回動させる作動部２１と、作動部に接続され、柄を係止させる被係止部２２と、被係止部に柄を受け入れ、取り出し機能を有する開口部とを有し、作動部の下に被係止部が位置し、被係止部は、柄の第１の部位１０Ａに当接する第１の被係止部位２２Ａと柄の第１の部位より下方の柄の第２の部位１０Ｂに当接する第２の被係止部位２２Ｂとを有し、柄は、第１の被係止部位と第２の被係止部位で支持される。【選択図】図４
0003228603.tif 000002
【実用新案登録請求の範囲】
【請求項１】
立設した面へ取り付けられる本体と、
この本体にシーソー状に取り付けられた回動体とを備え、
この回動体は、棒状部分の柄で押すと前記回動体を回動させる作動部と、この作動部に接続され、前記柄を係止させる被係止部と、この被係止部に前記柄を受け入れ、取り出し機能を有する開口部とを有し、
前記作動部の下に前記被係止部が位置し、
前記被係止部は、前記柄の第１の部位に当接する第１の被係止部位と前記柄の第１の部位より下方の前記柄の第２の部位に当接する第２の被係止部位とを有し、
前記柄は、前記第１の被係止部位と前記第２の被係止部位で支持される
ことを特徴とする柄支持具。
【請求項２】
被係止部は、垂直下方向に向かって、立設した面から離間するように設置されている
ことを特徴とする請求項１記載の柄支持具。
【請求項３】
柄支持具に柄が係止されていない使用前の作動部の立設した面から一番離れた距離Ｈと前記柄支持具に柄が係止されていない使用前の被係止部の立設した面から一番離れた距離ｈとは、Ｈ≧ｈの関係にある
ことを特徴とする請求項１記載の柄支持具。
【請求項４】
被係止部は、開口部を有したＣ形状部又は、逆コ字状部を有している
ことを特徴とする請求項１〜３のいずれかに記載の柄支持具。
【請求項５】
被係止部の部位が、熱可塑性エラストマー又はシリコーンゴムで形成されている
ことを特徴とする請求項１〜４のいずれかに記載の柄支持具。
【考案の詳細な説明】
【技術分野】
【０００１】
本考案は、柄支持具に係り、特に、片手で柄の脱着ができる柄支持具に関する。
【背景技術】
【０００２】
従来、棒状の柄を有するものであれば、その他の形態に関係なく吊り下げて収納することができる吊下式ホルダーがある。
この吊下式ホルダーは、硬質樹脂からなる板状のベース部と、一端がベース部に対して水平回転軸を介して回動自在に支持されたホルダー部とを備え、ホルダー部には、被吊下物の柄が挿通され、ホルダー部の所定角度位置で柄の対向する２つの面に摩擦的に接触する保持孔を設けて、被吊下物の自重を利用して、ホルダー部に吊り下げるようにしている。
【先行技術文献】
【特許文献】
【０００３】
【特許文献１】特開２００２−２０９７１３
【考案の概要】
【考案が解決しようとする課題】
【０００４】
しかしながら、上記吊下式ホルダーは、例えば、左手でホルダー部を持ち上げ、右手でホルダー部の開口部から被吊下物を入れ、水平方向へ移動させて、被吊下物の柄を支持させるため、片手で被吊下物の脱着ができないという問題点が生じた。
【０００５】
本考案は、上記の問題点を考慮してなされた柄支持具を提供することにある。
【課題を解決するための手段】
【０００６】
請求項１記載の柄支持具は、立設した面へ取り付けられる本体と、この本体にシーソー状に取り付けられた回動体とを備え、この回動体は、棒状部分の柄で押すと前記回動体を回動させる作動部と、この作動部に接続され、前記柄を係止させる被係止部と、この被係止部に前記柄を受け入れ、取り出し機能を有する開口部とを有し、前記作動部の下に前記被係止部が位置し、前記被係止部は、前記柄の第１の部位に当接する第１の被係止部位と前記柄の第１の部位より下方の前記柄の第２の部位に当接する第２の被係止部位とを有し、前記柄は、前記第１の被係止部位と前記第２の被係止部位で支持されるものである。
【０００７】
また、請求項２記載の柄支持具は、請求項１記載の柄支持具において、被係止部は、垂直下方向に向かって、立設した面から離間するように設置されているものである。
【０００８】
また、請求項３記載の柄支持具は、請求項１記載の柄支持具において、柄支持具に柄が係止されていない使用前の作動部の立設した面から一番離れた距離Ｈと前記柄支持具に柄が係止されていない使用前の被係止部の立設した面から一番離れた距離ｈとは、Ｈ≧ｈの関係にある。
【０００９】
また、請求項４記載の柄支持具は、請求項１〜３のいずれかに記載の柄支持具において、被係止部は、開口部を有したＣ形状部又は、逆コ字状部を有しているものである。
【００１０】
また、請求項５記載の柄支持具は、請求項１〜４のいずれかに記載の柄支持具において、被係止部の部位が、熱可塑性エラストマー又はシリコーンゴムで形成されているものである。
【考案の効果】
【００１１】
請求項１の柄支持具によれば、柄を持った片手で、柄を介して作動部を押し、開口部を介して水平方向へ柄を移動して、柄を持った片手を離すと、柄は、第１の被係止部位と第２の被係止部位で支持されるため、片手で柄の脱着ができ、使用勝手を向上させることができる。
【００１２】
また、請求項２の柄支持具によれば、上述した請求項１記載の考案の効果に加え、被係止部は、垂直下方向に向かって、立設した面から離間するように設置されているため、被係止部が垂直下方向に向かって、立設した面から一定のものに比べ、柄の係止を迅速に行うことができる。
【００１３】
また、請求項３の柄支持具によれば、上述した請求項１記載の考案の効果に加え、柄支持具に柄が係止されていない使用前の作動部の立設した面から一番離れた距離Ｈと柄支持具に柄が係止されていない使用前の被係止部の立設した面から一番離れた距離ｈとは、Ｈ≧ｈの関係にあるため、作動部の可動領域を大きく取ることができ、柄の被係止部への受け入れを迅速に行うことができる。
【図面の簡単な説明】
【００１４】
【図１】図１は、本考案の一実施例の柄支持具を斜め上方から見た３Ｄ画像である。
【図２】図２は、図１の柄支持具と立設した面との関係を示す３Ｄ画像である。
【図３】図３は、図１の柄支持具に図２の柄を支持する手順を示す３Ｄ画像で、柄を作動部に当接した状態を示している。
【図４】図４は、図３の柄を被係止部側へ移動させた状態を示す３Ｄ画像である。
【図５】図５は、図４の柄を被係止部に係止させた状態を示す３Ｄ画像である。
【考案を実施するための形態】
【００１５】
本考案の一実施例の柄支持具を図１乃至図５を参照して説明する。
【００１６】
図１に示すＳは掃除用具（例えば、モップ）の柄、杖等の柄１０（図３〜図５）を支持する柄支持具で、柄支持具Ｓは、立設した面３へ取り付けられる本体１と、この本体１にシーソー状に取り付けられた回動体２とを備えている。
立設した面３は、例えば、壁面、冷蔵庫の側面、家具の側面で、本体１は、粘着テープ、ピン等で立設した面３に取り付けられる。
【００１７】
回動体２は、棒状部分の柄１０で押すと回動体２を回動させる作動部２１と、この作動部２１に接続され、柄１０を係止させる被係止部２２と、この被係止部２２に柄１０を受け入れ、取り出し機能を有する開口部２３とを有している。作動部２１の下に被係止部２２が位置し（図２）、被係止部２２は、柄１０の第１の部位１０Ａに当接する第１の被係止部位２２Ａと柄１０の第１の部位１０Ａより下方の柄１０の第２の部位１０Ｂに当接する第２の被係止部位２２Ｂとを有し、柄１０は、第１の被係止部位２２Ａと第２の被係止部位２２Ｂで支持される。
【００１８】
上述した柄支持具Ｓによれば、柄１０を持った片手で、柄１０を介して作動部２１を押し（作動部２１を図３に示すＸ方向に押すと、被係止部２２がＺ方向に回動する。）、開口部２３を介して水平方向へ柄１０を移動（作動部２１を図４に示すＹ方向に移動させる。）して、柄１０を持った片手を離すと、被係止部２２が図５に示すＺ’方向に回動し、柄１０は、第１の被係止部位２２Ａと第２の被係止部位２２Ｂで支持されるため、片手で柄１０の脱着ができ、使用勝手を向上させることができる。
【００１９】
また、図２に示すように、被係止部２２は、垂直下方向に向かって、立設した面３から離間するように設置されている。そのため、被係止部２２が垂直下方向に向かって、立設した面３から一定のものに比べ、柄１０の係止を迅速に行うことができる。
【００２０】
また、図２に示すように、柄支持具Ｓに柄１０が係止されていない使用前の作動部２１の立設した面３から一番離れた距離Ｈは、柄支持具Ｓに柄１０が係止されていない使用前の被係止部２２の立設した面３から一番離れた距離ｈより大（Ｈ＞ｈ）、又は、図示しないが、Ｈ＝ｈでも良い。つまり、Ｈ≧ｈであるため、作動部２１の可動領域を大きく取ることができ、柄１０の被係止部２２への受け入れを迅速に行うことができる。
【００２１】
なお、被係止部２２は、開口部２３を有したＣ形状部（又は、逆コ字状部）で、被係止部２２の部位は、滑り止め材として、例えば、TPE（熱可塑性エラストマー）、シリコーンゴム等で形成されている。
【符号の説明】
【００２２】
Ｓ      柄支持具
１      本体
２      回動体
３      立設した面
１０    柄
１０Ａ  第１の部位
１０Ｂ  第２の部位
２２    被係止部
２２Ａ  第１の被係止部位
２２Ｂ  第２の被係止部位
【図１】
0003228603.tif 000003
【図２】
0003228603.tif 000004
【図３】
0003228603.tif 000005
【図４】
0003228603.tif 000006
【図５】
0003228603.tif 000007